(57)【要約】      （修正有）【課題】通常は圧縮状態で保存され、震災や台風等の災害に見舞われた際の避難所において圧縮状態を解除して使用することのできる、履物を含めた非常用品セットを提供する。【解決手段】突掛部を反対向きにして重ね合わせた一対の薄型履物２に，該一対の薄型履物２の外接長方形と略同サイズに折畳んだ非常用巾着袋７，該外接長方形と略同サイズに折畳んだ非常用晒木綿８，該外接長方形と略同サイズに折畳んだ非常用Ｔシャツ５，及び指部を反対向きに重ね合わせた非常用軍手６の中から必要に応じ選んだ非常用品を重積し、その外側をタオル３で包んで第１ユニットを形成し、選択されなかった前記非常用品の少なくとも１点以上を重ねて第２ユニットを形成し、第１ユニットと第２ユニットを重ね、更にその外側をバスタオル３で包んで直方体状に圧縮固化した非常用品ユニットを、包装フィルムで包んだものである。【選択図】図１
0003109980.tif 000002
【実用新案登録請求の範囲】
【請求項１】
突掛部を反対向きにして重ね合わせた一対の薄型履物（２）に、該一対の薄型履物（２）の外接長方形と略同サイズに折畳んだ非常用巾着袋（７），該外接長方形と略同サイズに折畳んだ非常用晒木綿（８），該外接長方形と略同サイズに折畳んだ非常用Ｔシャツ（５），
及び指部を反対向きに重ね合わせた非常用軍手（６），の中から必要に応じ選んだ非常用品を重積し、その外側をタオル（３）で包み、更にその外側をバスタオル（３）で包んで直方体状に圧縮固化した非常用品ユニットを、包装フィルム（９）で包んだ圧縮非常用品セット。
【請求項２】
突掛部を反対向きにして重ね合わせた一対の薄型履物（２）に、該一対の薄型履物（２）の外接長方形と略同サイズに折畳んだ非常用巾着袋（７），該外接長方形と略同サイズに折畳んだ非常用晒木綿（８），該外接長方形と略同サイズに折畳んだ非常用Ｔシャツ（５），
及び指部を反対向きに重ね合わせた非常用軍手（６），の中から必要に応じ選んだ非常用品を重積し、その外側をタオル（３）で包んで第１ユニットを形成し、
選択されなかった前記非常用品の少なくとも１点以上を重ねて第２ユニットを形成し、
第１ユニットと第２ユニットを重ね、更にその外側をバスタオル（３）で包んで直方体状に圧縮固化した非常用品ユニットを、包装フィルム（９）で包んだ圧縮非常用品セット。
【請求項３】
履物（２）がスリッパであることを特徴とする請求項１又は２に記載の圧縮非常用品セット。
【考案の詳細な説明】
【技術分野】
【０００１】
本考案は、通常は圧縮状態で保存され、震災や台風等の災害に見舞われた際の避難所において圧縮状態を解除して使用することのできる、履物を含めた非常用品セットに関するものである。
【背景技術】
【０００２】
震災や台風等の災害に見舞われた場合、学校の体育館などの避難所に緊急避難することがある。その場合、迅速な行動が要求されるため、避難所における日常生活に必要な物を全て持ち出すことは困難である。避難所では、衣類と同様に、その多くが床張りであるためスリッパが必要な物の一つである。
【０００３】
一方、これまでシャツやタオルなどの布製品を圧縮固化したものが創案されている（例えば特許文献１参照）。この布製品は圧縮固化されているので小型であり、例えば、旅行に携帯するのに適している。
【特許文献１】特許２７３９０９６号公報
【考案の開示】
【考案が解決しようとする課題】
【０００４】
しかし、前述した震災などの緊急時に、衣類を持ち出すことはあっても、スリッパを持ち出すことは皆無であるといっても過言ではない。
【０００５】
本考案はこうした問題に鑑み創案されたもので、通常は圧縮状態で保存され、震災や台風等の災害に見舞われた際の避難所において圧縮状態を解除して使用することのできる、スリッパなどの履物を含めた非常用品セットを提供することを課題とする。
【課題を解決するための手段】
【０００６】
図４に基づき図１及び図２を参考にして説明する。請求項１に記載の圧縮非常用品セット１は、突掛部を反対向きにして重ね合わせた一対の薄型履物２に、該一対の薄型履物２の外接長方形と略同サイズに折畳んだ非常用巾着袋７，該外接長方形と略同サイズに折畳んだ非常用晒木綿８，該外接長方形と略同サイズに折畳んだ非常用Ｔシャツ５，及び指部を反対向きに重ね合わせた非常用軍手６，の中から必要に応じ選んだ非常用品を重積し、その外側をタオル３で包み、更にその外側をバスタオル３で包んで直方体状に圧縮固化した非常用品ユニットを、包装フィルム９で包んだものである。
【０００７】
請求項２に記載の圧縮非常用品セット１は、突掛部を反対向きにして重ね合わせた一対の薄型履物２に、該一対の薄型履物２の外接長方形と略同サイズに折畳んだ非常用巾着袋７，該外接長方形と略同サイズに折畳んだ非常用晒木綿８，該外接長方形と略同サイズに折畳んだ非常用Ｔシャツ５，及び指部を反対向きに重ね合わせた非常用軍手６，の中から必要に応じ選んだ非常用品を重積し、その外側をタオル３で包んで第１ユニットを形成し、選択されなかった前記非常用品の少なくとも１点以上を重ねて第２ユニットを形成し、第１ユニットと第２ユニットを重ね、更にその外側をバスタオル３で包んで直方体状に圧縮固化した非常用品ユニットを、包装フィルム９で包んだものである。
【０００８】
請求項３に記載の圧縮非常用品セット１は、請求項１及び２に記載の考案において、履物２がスリッパであることを特徴とするものである。
【考案の効果】
【０００９】
請求項１に記載の圧縮非常用品セット１は、少なくとも、圧縮可能な履き物２、タオル３およびバスタオル４とからなり、履物２の全体が、タオル３およびバスタオル４に巻かれた状態で圧縮固化されているので、小型であり、震災時に容易に持ち出すことができる。
【００１０】
また、学校の体育館などの避難所では、当該セット１を解いて、タオル３やバスタオル４のみでなく、履物２を使用することができる。通常、履物２を持って避難所に避難することはないが、本考案では、当該セット１を持ち出すことによってその中に含まれている履物２を使用することができるので、極めて便利である。これは、これまでの圧縮固化製品には見られない特徴である。
【００１１】
また、履物２は、その全体をタオル３とバスタオル４とによって覆われているので、その一部に布以外の樹脂やゴムなどを含んでいても、当該タオル３およびバスタオル４を形成する布によって保護される。従って、プレスで圧縮固化されても損傷しない。
【００１２】
さらに、履物２はタオル３等のように全体が布で構成されているものではなく、また、その用途から、汚れの目立つ白色を避けるため、一般に、赤、青、黄などに着色されているが、その全体がタオル３およびバスタオル４に巻かれているので、その色が外から視覚されない。よって、外観の全体がバスタオル４等の色（通常、白色）に統一され、見栄えも綺麗である。
【００１３】
請求項２に記載の圧縮非常用品セット１は、請求項１に記載の考案と同様に、履物２を容易に持ち出して避難所で使用することができるので、きわめて便利であると共に、履物２がタオル３等を形成する布によって保護され、さらに、その外観全体の色が一色に統一されているので見栄えも良い。
【００１４】
また、履物２、タオル３、バスタオル４の他に、Ｔシャツ５、軍手６、巾着袋７および晒木綿８を含んでいるので、避難所での生活に、より便利である。
【００１５】
請求項３に記載の圧縮非常用品セット１は、履物２がスリッパであるので、足への着脱が容易である。従って、避難所が体育館などの床張りである場合には、特に便利である。
【考案を実施するための最良の形態】
【００１６】
本考案に係る圧縮非常用品セット１の一実施形態を、図１乃至図３に示す。これは、通常時は圧縮固化状態で保存され、震災などの災害時は圧縮固化状態が解かれて使用されるものであって、圧縮可能な履物２，タオル３，バスタオル４，Ｔシャツ５，軍手６，巾着袋７および晒木綿８の７品目からなるものである。
【００１７】
そして、緑色のスリッパ（薄型履物２）、黄色の巾着袋７および白の晒木綿８の全体をタオル３で包み込み、その上に同じく折り込んだＴシャツ５と軍手６を載せ、それらの全体をバスタオル４で包んだ後、プレス機で圧縮して固化している。ここで、スリッパおよび軍手６以外は、平面四角形状の適宜の大きさに折り込んだ状態で、上記の包み込み作業を行っている。また、その全体を透明袋を含むところの透明な包装フィルム９で包装している。なお、スリッパは、本体部分が布製で、底が樹脂製の肉薄な簡易なものであり、圧縮固化に適したものを用いている。
【００１８】
こうした構成の圧縮非常用品セット１は、その全体が小型であり、震災等の緊急時に容易に持ち出すことが出来る。また、避難所でその圧縮固化状態を解いてそれぞれの品物を原形に戻し使用することができる。特に、スリッパは緊急時に持ち出すことのない品物であると共に、体育館などの避難所での生活には必需品であるため、極めて便利で実用的である。
【００１９】
また、履物２は、その全体をタオル３とバスタオル４とによって覆われているので、その底部に樹脂を含んでいるものの、当該タオル３およびバスタオル４を形成する布によって、プレスで圧縮固化される際にも保護される。
【００２０】
なお、緑色のスリッパおよび黄色の巾着袋７は晒木綿８と共に、その全体がタオル３で巻かれた後、バスタオル４によっても覆われているので、それらの色が外から視覚されることがない。従って、当該セット１の外観はバスタオル４の白色に統一され、見栄えに優れる。
【００２１】
なお、突掛部を反対向きに向けた２つのスリッパは、一方の突掛部を他方の踵部に当てるときと、両方の底面同志を当てるときと、一方の突掛部の上に他方の踵部の底面を当てるときがある。
【図面の簡単な説明】
【００２２】
【図１】本考案の実施形態であり、セットの圧縮固化物および全体を示す斜視図である。
【図２】図１のセットにおいて、梱包の状態を示す斜視図である。
【図３】図１のＡ−Ａ線概略断面図である。
【図４】変形実施例の図３相当図である。
【符号の説明】
【００２３】
１      圧縮非常用品セット
２      薄型履物
３      タオル
４      バスタオル
５      Ｔシャツ
６      軍手
７      巾着袋
８      晒木綿
９      包装フィルム
【図１】
0003109980.tif 000003
【図２】
0003109980.tif 000004
【図３】
0003109980.tif 000005
【図４】
0003109980.tif 000006